(57)【要約】【課題】装置の内部温度が上昇してきた場合にも、ユーザの意図に応じて、ファンによる放熱を優先した動作か、撮影の継続を優先した動作を選択することが可能な撮像装置を実現する。【解決手段】撮像装置は、装置の内部を冷却するためのファンと、装置の温度を検出する温度検出手段と、温度が上昇していない場合のファンの動作のオンまたはオフを設定する設定手段と、前記設定手段によってファンの動作がオフに設定されており、前記温度検出手段で第１閾値以上の温度が検出されたことに応じて、前記ファンを駆動するか否かを選択するための選択画面を表示するように制御する表示制御手段と、前記選択画面を表示している際のユーザ操作によって、前記ファンを駆動しないことが選択された場合はファンを駆動せず、ファンを駆動することが選択された場合はファンを駆動するように制御するファン制御手段と、を有する。【選択図】図３
2014042168.tif 000002
【特許請求の範囲】
【請求項１】
装置の内部を冷却するためのファンと、
装置の温度を検出する温度検出手段と、
温度が上昇していない場合のファンの動作のオンまたはオフを設定する設定手段と、
前記設定手段によってファンの動作がオフに設定されており、前記温度検出手段で第１閾値以上の温度が検出されたことに応じて、前記ファンを駆動するか否かを選択するための選択画面を表示するように制御する表示制御手段と、
前記選択画面を表示している際のユーザ操作によって、前記ファンを駆動しないことが選択された場合はファンを駆動せず、ファンを駆動することが選択された場合はファンを駆動するように制御するファン制御手段と、を有することを特徴とする撮像装置。
【請求項２】
前記表示制御手段は、前記温度検出手段で前記第１閾値以上の温度が検出された場合、高温になっていることを警告する表示を行うように制御することを特徴とする請求項１に記載の撮像装置。
【請求項３】
前記表示制御手段は、前記温度検出手段で前記第１閾値より高い第２閾値以上の温度が検出された場合、更に高温になっていることを警告する表示を行うように制御することを特徴とする請求項２に記載の撮像装置。
【請求項４】
前記表示制御手段は、前記温度検出手段で前記第２閾値より高い第３閾値以上の温度が検出された場合、更に高温になっていることを警告するとともに、装置をシャットダウンすることを通知するように制御することを特徴とする請求項３に記載の撮像装置。
【請求項５】
前記ファン制御手段は、画像を撮影する撮影モード以外の場合、前記温度検出手段による検出の結果にかかわらず、前記ファンを常に駆動するように制御することを特徴とする請求項１に記載の撮像装置。
【請求項６】
前記ファン制御手段は、画像を撮影する撮影モードであっても、動画撮影中でない場合、前記設定手段によるファンの動作の設定にかかわらず、前記温度検出手段で前記第１閾値以上の温度が検出されると、前記ファンを駆動するように制御することを特徴とする請求項１に記載の撮像装置。
【請求項７】
前記動画撮影中には、動画の記録を開始する前のプレレック中を含むことを特徴とする請求項６に記載の撮像装置。
【請求項８】
前記ファン制御手段は、画像を撮影する撮影モードであっても、ファームウェアの更新を行うファームアップ画面が表示中の場合、前記設定手段によるファンの動作の設定にかかわらず、前記温度検出手段で前記第１閾値以上の温度が検出されると、前記ファンを駆動するように制御することを特徴とする請求項１に記載の撮像装置。
【請求項９】
前記ファン制御手段は、前記温度検出手段で検出された温度に応じて前記ファンの回転速度を変化させることを特徴とする請求項１ないし８のいずれか１項に記載の撮像装置。
【請求項１０】
前記設定手段による設定を行う機能が、操作部に含まれるアサインボタンに割り当てられることを特徴とする請求項１ないし９のいずれか１項に記載の撮像装置。
【請求項１１】
前記ファン制御手段は、前記ファンの回転周期が所定の回転周期を下回った場合、ファンの回転数を所定の割合だけ一律に増加させることを特徴とする請求項１ないし１０のいずれか１項に記載の撮像装置。
【請求項１２】
装置の内部を冷却するためのファンと、
装置の温度を検出する温度検出手段と、
温度が上昇していない場合のファンの動作のオンまたはオフを設定する設定手段と、を有する撮像装置の制御方法であって、
前記設定手段によってファンの動作がオフに設定されており、前記温度検出手段で第１閾値以上の温度が検出されたことに応じて、前記ファンを駆動するか否かを選択するための選択画面を表示するように制御する表示制御工程と、
前記選択画面を表示している際のユーザ操作によって、前記ファンを駆動しないことが選択された場合はファンを駆動せず、ファンを駆動することが選択された場合はファンを駆動するように制御するファン制御工程と、を有することを特徴とする撮像装置の制御方法。
【請求項１３】
コンピュータを、請求項１乃至１１のいずれか１項に記載された撮像装置の各手段として機能させるためのプログラム。
【請求項１４】
コンピュータを、請求項１乃至１１のいずれか１項に記載された撮像装置の各手段として機能させるためのプログラムを格納した記憶媒体。
【発明の詳細な説明】
【技術分野】
【０００１】
本発明は、撮像装置を冷却するファンの制御技術に関する。
【背景技術】
【０００２】
撮像装置では、カメラ内部の温度が上昇すると撮像素子からの画像信号にノイズが乗って画質が劣化するなど、高温下では安定した動作に支障が出る恐れがある。そこで、カメラ内部で生じた熱をカメラ外部に放熱するためにファンを備たものがある。さらに、このファンの動作を操作者によってオン／オフ動作制御するために、その制御用のスイッチをカメラに有して、操作者がそのスイッチを操作できるようにしたものがある。動画を撮影する場合など、カメラが有するマイクによって録音しながら撮影する場合、ファンが動作すると、その動作音がマイクによって不要に録音されてしまう可能性がある。そのため、撮影者は、ファンの動作音が録音されたくない場合は、撮影時にファンの動作制御スイッチをオフにして、ファンの動作を停止したままで撮影を行う。しかしその場合でも、カメラ内部の温度が上がってきた場合にはファンを動作させたほうが、カメラの安定動作のためには好適である。
【０００３】
特許文献１には、カメラ内部の温度が所定温度に達すると自動的にファンを動作させるカメラにおいて、ファンを動作させる前にインジケーターを表示して、ファンの始動を撮影者に予告することが開示されている。
【先行技術文献】
【特許文献】
【０００４】
【特許文献１】特開２０００−２８７１１１号公報
【発明の概要】
【発明が解決しようとする課題】
【０００５】
カメラに搭載されるファンは、モータを駆動させて空気の対流を促し、カメラ内部の温度上昇を和らげるあるいは冷却する目的で使用される。しかしながら、ファンの動作に伴い、カメラ本体の騒音や振動により、撮影や録音への影響がある。たとえば、振動によるフォーカス制御や防振制御の性能を低下させる、あるいは騒音による記録映像に不要な音を記録してしまうなどといった課題である。そのため、特許文献１のように、カメラ内部の温度が上昇してきたからといってファンを自動的に始動させてしまうと、撮影や録音に影響を及ぼし、撮影者にとっては好ましくない場合がある。
【０００６】
本発明は、上記課題に鑑みてなされ、その目的は、装置の温度が上昇してきた場合にも、ユーザの意図に応じて、ファンによる放熱を優先した動作か、撮影の継続を優先した動作を選択することが可能な撮像装置を実現することである。
【課題を解決するための手段】
【０００７】
上記課題を解決し、目的を達成するために、本発明の撮像装置は、装置の内部を冷却するためのファンと、装置の温度を検出する温度検出手段と、温度が上昇していない場合のファンの動作のオンまたはオフを設定する設定手段と、前記設定手段によってファンの動作がオフに設定されており、前記温度検出手段で第１閾値以上の温度が検出されたことに応じて、前記ファンを駆動するか否かを選択するための選択画面を表示するように制御する表示制御手段と、前記選択画面を表示している際のユーザ操作によって、前記ファンを駆動しないことが選択された場合はファンを駆動せず、ファンを駆動することが選択された場合はファンを駆動するように制御するファン制御手段と、を有する。
【発明の効果】
【０００８】
本発明によれば、装置の内部温度が上昇してきた場合にも、ユーザの意図に応じて、ファンによる放熱を優先した動作か、撮影の継続を優先した動作を選択することができる。
【図面の簡単な説明】
【０００９】
【図１】本発明に係る実施形態の撮像装置の外観図。
【図２】本実施形態の撮像装置の構成を示すブロック図。
【図３】本実施形態のファン制御を示すフローチャート。
【図４】本実施形態のファン制御におけるアイコンの表示例を示す図。
【図５】本実施形態のファン制御における高温警告メッセージの表示例を示す図。
【発明を実施するための形態】
【００１０】
以下、図面を参照しながら本発明の撮像装置をデジタルビデオカメラに適用した実施の形態について詳細に説明する。
【００１１】
＜装置構成＞図１及び図２を参照して、本実施形態のデジタルビデオカメラの構成及び機能について説明する。
【００１２】
図１に本実施形態のデジタルビデオカメラの外観図を示す。表示部１０１は画像や各種情報を表示する表示部である。撮影ボタン１０２は撮影指示を行うための操作部である。モード切替スイッチ１０３は各種モードを切り替えるための操作部である。コネクタ１０７は接続ケーブル１０８とデジタルビデオカメラ１００とのコネクタである。操作部１０４はユーザからの各種操作を受け付ける各種スイッチ、ボタン、タッチパネル等の操作部材よりなる操作部である。コントローラホイール１０６は操作部１０４に含まれる回転操作可能な操作部材である。１０５は電源スイッチであり、電源オン、電源オフを切り替える。記録媒体１０９はメモリカードやハードディスク等の記録媒体である。記録媒体スロット１１０は記録媒体１０９を格納するためのスロットである。記録媒体スロット１１０に格納された記録媒体１０９は、デジタルビデオカメラ１００との通信が可能となる。蓋１１１は記録媒体スロット１１０の蓋である。デジタルビデオカメラ内部には、ファンユニット１１２が設けられている。
【００１３】
図２に本実施形態のデジタルビデオカメラの構成を示す。撮影レンズ２０３はズームレンズ、フォーカスレンズを含むレンズ群である。撮像部２０５は光学像を電気信号に変換するＣＣＤやＣＭＯＳ素子等で構成される撮像素子である。Ａ／Ｄ変換器２０６は、撮像部２０５から出力されるアナログ信号をデジタル信号に変換する。バリア２０２は、デジタルビデオカメラ１００の、撮影レンズ２０３を含む撮像系を覆うことにより、撮影レンズ２０３、シャッター２０４、撮像部２０５を含む撮像系の汚れや破損を防止する。
【００１４】
画像処理部２０７は、Ａ／Ｄ変換器２０６からのデータ、又は、メモリ制御部２０９からのデータに対し所定の画素補間、縮小といったリサイズ処理や色変換処理を行う。また、画像処理部２０７では、撮像した画像データを用いて所定の演算処理が行われ、得られた演算結果に基づいてシステム制御部２０１が露光制御、測距制御を行う。画像処理部２０７では更に、撮像した画像データを用いて所定の演算処理を行い、得られた演算結果に基づいてＴＴＬ方式のＡＷＢ（オートホワイトバランス）処理も行っている。
【００１５】
Ａ／Ｄ変換器２０６からの出力データは、画像処理部２０７及びメモリ制御部２０９を介して、或いは、メモリ制御部２０９を介してメモリ２１０に直接書き込まれる。メモリ２１０は、撮像部２０５によって得られ、Ａ／Ｄ変換器２０６によりデジタルデータに変換された画像データや、表示部１０１に表示するための画像データを記憶する。メモリ２１０は、所定枚数の静止画や所定時間の動画および音声を記憶するのに十分な記憶容量を備えている。
【００１６】
また、メモリ２１０は画像表示用のメモリ（ビデオメモリ）を兼ねている。Ｄ／Ａ変換器２０８は、メモリ２１０に記憶されている画像表示用のデータをアナログ信号に変換して表示部１０１に供給する。こうして、メモリ２１０に書き込まれた表示用の画像データはＤ／Ａ変換器２０８を介して表示部１０１により表示される。表示部１０１は、ＬＣＤ等の表示器上に、Ｄ／Ａ変換器２０８からのアナログ信号に応じた表示を行う。Ａ／Ｄ変換器２０６によって一度Ａ／Ｄ変換されメモリ２１０に蓄積されたデジタル信号をＤ／Ａ変換器２０８においてアナログ変換し、表示部１０１に逐次転送して表示することで、電子ビューファインダとして機能し、スルー画像表示を行える。
【００１７】
不揮発性メモリ２１３は、電気的に消去・記録可能なメモリであり、例えばＥＥＰＲＯＭ等が用いられる。不揮発性メモリ２１３には、システム制御部２０１の動作用の定数、プログラム等が記憶される。ここでいう、プログラムとは、本実施形態にて後述するフローチャートを実行するためのプログラムのことである。バックアップメモリ２１８は、電気的に消去・記録可能なメモリであり、例えば、ＥＥＰＲＯＭやＳＲＡＭ等が用いられる。バックアップメモリ２１８には、ユーザ設定情報等が記憶される。
【００１８】
システム制御部２０１は、デジタルビデオカメラ１００全体を制御する。前述した不揮発性メモリ２１３に記録されたプログラムを実行することで、後述するフローチャートの各処理を実現する。２１２はシステムメモリであり、ＲＡＭが用いられる。システムメモリ２１２には、システム制御部２０１の動作用の定数、変数、不揮発性メモリ２１３から読み出したプログラム等を展開する。また、システム制御部２０１はメモリ２１０、Ｄ／Ａ変換器２０８、表示部１０１等を制御することにより表示制御も行う。
【００１９】
システムタイマー２１１は各種制御に用いる時間や、内蔵された時計の時間を計測する計時部である。
【００２０】
撮影ボタン１０２、モード切替スイッチ１０３、操作部１０４はシステム制御部２０１に各種の動作指示を入力するための操作手段である。
【００２１】
モード切替スイッチ１０３は、システム制御部２０１の動作モードを、静止画撮影モード、動画撮影モード、再生モード等のいずれかに切り替える。静止画撮影モードに含まれるモードとして、オート撮影モード、オートシーン判別モード、マニュアルモード、撮影シーン別の撮影設定となる各種シーンモード、プログラムＡＥモード、カスタムモード等がある。モード切替スイッチ１０３で、静止画撮影モードに含まれるこれらのモードのいずれかに直接切り替えられる。あるいは、モード切替スイッチ１０３で静止画撮影モードに一旦切り替えた後に、静止画撮影モードに含まれるこれらのモードのいずれかに、他の操作部材を用いて切り替えるようにしても良い。同様に、動画撮影モードにも複数のモードが含まれていても良い。
【００２２】
システム制御部２０１は、撮影ボタン１０２の操作をトリガとして、撮像部２０５からの信号読み出しから記録媒体１０９への画像データの書き込みまでの一連の動作を開始する。
【００２３】
操作部１０４の各操作部材は、表示部１０１に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン、ショートカットボタン等がある。例えば、メニューボタンが押されると各種の設定可能なメニュー画面が表示部１０１に表示される。ユーザは、表示部１０１に表示されたメニュー画面と、上下左右の４方向ボタンやＳＥＴボタンとを用いて直感的に各種設定を行うことができる。
【００２４】
コントローラホイール１０６は、操作部１０４に含まれる回転操作可能な操作部材であり、方向ボタンと共に選択項目を指示する際などに使用される。コントローラホイール１０６を回転操作すると、操作量に応じて電気的なパルス信号が発生し、このパルス信号に基づいてシステム制御部２０１はデジタルビデオカメラ１００の各部を制御する。このパルス信号によって、コントローラホイール１０６が回転操作された角度や、何回転したかなどを判定することができる。なお、コントローラホイール１０６は回転操作が検出できる操作部材であればどのようなものでも良い。例えば、ユーザの回転操作に応じてコントローラホイール１０６自体が回転してパルス信号を発生するダイヤル操作部材であっても良い。また、タッチセンサからなる操作部材で、コントローラホイール１０６自体は回転せず、コントローラホイール１０６上でのユーザの指の回転動作などを検出するものであっても良い（いわゆる、タッチホイール）。
【００２５】
電源制御部２１４は、電池検出回路、ＤＣ−ＤＣコンバータ、通電するブロックを切り替えるスイッチ回路等により構成され、電池の装着の有無、電池の種類、電池残量の検出を行う。また、電源制御部２１４は、その検出結果及びシステム制御部２０１の指示に基づいてＤＣ−ＤＣコンバータを制御し、必要な電圧を必要な期間、記録媒体１０９を含む各部へ供給する。
【００２６】
電源部２１５は、アルカリ電池やリチウム電池等の一次電池やＮｉＣｄ電池やＮｉＭＨ電池、Ｌｉ電池等の二次電池、ＡＣアダプタ等からなる。記録媒体Ｉ／Ｆ２１９は、メモリカードやハードディスク等の記録媒体１０９とのインターフェースである。記録媒体１０９は、撮影された画像を記録するためのメモリカード等の記録媒体であり、半導体メモリや磁気ディスク等から構成される。
【００２７】
ファンユニット１１２は、デジタルビデオカメラ内部の発熱によって、カメラ本体の内部温度が上昇することを抑制するための冷却機構であるり、システム制御部２０１により回転が制御される。
【００２８】
温度センサ２１６は、カメラ本体の内部温度、特に高温になることが想定されているブロックの温度を監視するための温度検出部であり、サーミスタなどが用いられる。
【００２９】
マイク２１７は、動画撮影やボイスレコーダ機能を実行する際に音声を電気信号に変換して記録するためのマイクロフォンである。
【００３０】
＜ファン制御＞次に、図３乃至図５を参照して、本実施形態のファン制御について説明する。
【００３１】
本実施形態のデジタルビデオカメラは、ファンの動作モードとして、ファンを常に駆動するファンＯＮモードと、カメラの内部温度の応じて自動的にファンの駆動を制御するファンＡＵＴＯモードがある。本実施形態では、ファンの騒音や振動が撮影や録音に影響を及ぼすおそれのある撮影モードではファンＡＵＴＯモードとし、撮影モードと比較してファンの振動や騒音の影響を受けない再生モード等ではファンＯＮモードとして冷却を優先する。なお、ユーザが何れかのモードを選択して設定することができる。また、ユーザが上記ファンの動作モードをオンまたはオフに設定することもできる。
【００３２】
また、本実施形態のデジタルビデオカメラは、図４に示すように表示部１０１に温度情報を表す第１アイコン、第２アイコンの表示を行うとともに、ファンの動作開始／停止に伴う動作状態の表示を行う。
【００３３】
また、不揮発性メモリ２１３には、温度センサ２１６で取得された温度情報に基づいて表示部１０１にアイコンなどの表示を行うための基準となる閾値情報が記憶されている。閾値情報は、第１閾値、第２閾値、第３閾値を含んでおり、温度センサ２１６で取得された温度情報（カメラ本体の内部温度）と各閾値との比較に基づいて、システム制御部２０１が図３に示す制御を行う。各閾値の大小関係は、第１閾値よりも第２閾値の方が大きく、第２閾値よりも第３閾値の方が大きいものとする（第１閾値＜第２閾値＜第３閾値）。
【００３４】
図３の処理は、システム制御部２０１が不揮発性メモリ２１３に格納されたプログラムをシステムメモリ２１２に展開して実行することにより実現される。
【００３５】
また、図３の処理に先立って、ユーザはファンの動作モードをオンまたはオフに設定可能である。ファンの動作モードはメニュー設定情報としてバックアップメモリ２１８に記憶される。
【００３６】
デジタルビデオカメラ１００を起動すると図３の処理を開始し、Ｓ３０１では、システム制御部２０１は、現在の動作モードが撮影モードであるか否かを判定する。判定の結果、撮影モードであると判定した場合はＳ３０２に進み、そうでない場合はＳ３１２に進む。
【００３７】
Ｓ３０２では、システム制御部２０１は、撮影モードでファームアップ画面が表示されているか否かを判定する。ファームアップ画面は、外部機器と無線または有線を介して通信可能に接続されたときに、不揮発性メモリ２１３に格納されたファームウェアプログラムを更新する際に表示される画面である。判定の結果、ファームアップ画面が表示されていると判定した場合はＳ３１２に進み、そうでない場合はＳ３０３に進む。
【００３８】
Ｓ３０３では、システム制御部２０１は、バックアップメモリ２１８に記憶されているメニュー設定情報を取得し、ファンの動作モードがオフに設定されているか判定する。判定の結果、ファンの動作モードがオフに設定されている場合はＳ３０４に進み、オンに設定されている場合はＳ３１２に進む。
【００３９】
Ｓ３０４では、システム制御部２０１は、温度センサ２１６により検出された温度情報に基づき、カメラの内部温度が第１閾値以上であるか判定する。判定の結果、第１閾値以上である場合はＳ３０５に進み、そうでない場合はＳ３０４で引き続きカメラの内部温度を監視する。
【００４０】
Ｓ３０５では、システム制御部２０１は、カメラの内部温度が第１閾値以上となってから、第１閾値を下回ることなく所定時間（例えば、４秒）が経過したか否かを判定する。判定の結果、所定時間が経過している場合はＳ３０６に進み、そうでない場合はＳ３０４に戻る。ここで所定時間を計時する理由は、カメラの内部温度が第１閾値以上になったのが一時的なものではないことを確認するためである。よって、所定時間は、一時的でないことが確認できる期間であれば、何秒に設定しても良い。
【００４１】
Ｓ３０６では、システム制御部２０１は、図４（ａ）に示すような第１アイコン４０１を表示部１０１に表示する。第１アイコン４０１は、カメラの内部温度が上昇しており、カメラの動作に影響を与えかねない温度に達しそうであることを警告するためのアイコンであり、例えば黄色で表示される。
【００４２】
Ｓ３０７では、システム制御部２０１は、表示部１０１に、図５（ａ）に示すような第１高温警告メッセージ５０１と、ファンの動作を開始しても良いかどうかをユーザに通知するメッセージ５０２と、ファンの動作を開始するかどうかをユーザに選択させるためのＯＫボタン５０３およびＣａｎｃｅｌボタン５０４を含む選択画面を表示する。
【００４３】
Ｓ３０８では、システム制御部２０１は、メッセージ５０２に対するユーザによる選択操作を待つ。ここでは、選択画面に対して、ユーザによるＯＫボタン５０３またはＣａｎｃｅｌボタン５０４の選択操作を受け付け、選択操作があった場合はＳ３０９に進む。
【００４４】
Ｓ３０９では、システム制御部２０１は、Ｓ３０８で受け付けた選択操作がＯＫボタン５０３である場合はＳ３１０に進み、Ｃａｎｃｅｌボタン５０３である場合はＳ３１１に進む。
【００４５】
ステップＳ３１０では、システム制御部２０１は、ファンユニット１１２に動作開始信号を出力してファンを駆動させる。
【００４６】
Ｓ３１１では、システム制御部２０１は、Ｓ３０７で表示した第１高温警告メッセージ５０１を消灯し（第１閾値以下）、Ｓ３１５に進む。
【００４７】
一方、Ｓ３０１で撮影モード以外の場合や、ファームアップ画面の表示中（Ｓ３０２でＹＥＳ）、ファンの動作モードがオンの場合（Ｓ３０３でＮＯ）であっても、自動的にファンＯＮモードに移行し、ファンを常に駆動する（Ｓ３１２）。
【００４８】
Ｓ３１３では、システム制御部２０１は、カメラの内部温度が第１閾値以上であるか否かを判定する。判定の結果、第１閾値以上である場合はＳ３１４に進み、そうでない場合はＳ３１３で引き続きカメラの内部温度を監視する。なお、ここでの判定においてもＳ３０５と同様の理由で、内部温度が第１閾値以上となってから、第１閾値を下回ることなく所定時間が経過したか否かを判定しても良い。
【００４９】
Ｓ３１４では、システム制御部２０１は、図４（ａ）に示すような第１アイコン４０１を表示部１０１に表示する。
【００５０】
Ｓ３１５では、システム制御部２０１は、カメラの内部温度が第２閾値以上であるか否かを判定する。判定の結果、第２閾値以上である場合はＳ３１６に進み、そうでない場合はＳ３１５で引き続きカメラの内部温度を監視する。なお、ここでの判定においてもＳ３０５と同様の理由で、内部温度が第２閾値以上となってから、第２閾値を下回ることなく所定時間が経過したか否かを判定しても良い。
【００５１】
Ｓ３１６では、システム制御部２０１は、、図４（ｂ）に示すような第２アイコン４０２を表示部１０１に表示する。第２アイコン４０２は、カメラの内部温度がさらに上昇しており、カメラの動作に影響を与えかねない温度に達しそうであることを警告するためのアイコンであり、例えば赤色で表示される。
【００５２】
Ｓ３１７では、システム制御部２０１は、カメラの内部温度が第３閾値以上であるか否かを判定する。判定の結果、第３閾値以上である場合はＳ３１８に進み、そうでない場合はＳ３１７で引き続きカメラの内部温度を監視する。なお、ここでの判定においてもＳ３０５と同様の理由で、カメラの内部温度が第３閾値以上となってから、第３閾値を下回ることなく所定時間が経過したか否かを判定しても良い。
【００５３】
Ｓ３１８では、システム制御部２０１は、表示部１０１に、図５（ｂ）に示すような第２高温警告メッセージ５１１を表示する。第２高温警告メッセージ５１１は、カメラの内部温度が更に高温になっていること、及びカメラの動作を停止し、電源をオフすることを通知するメッセージとなる。ユーザは、このメッセージを見て、更に温度上昇が続いており、デジタルビデオカメラが強制的にシャットダウンされることを認識することができる。
【００５４】
Ｓ３１９、Ｓ３２０では、システム制御部２０１は、メッセージを表示してから所定時間経過した後、電源制御部２１４を制御してデジタルビデオカメラ１００を強制的にシャットダウンする。なお、電源をオフした後は、電源スイッチ１０５によって電源をオンする操作があると、再度電源をオンすることができる。但し、再度電源をオンした時点で、まだ高温状態（第３閾値以上）が続いている場合は再びシャットダウンされる。
【００５５】
上述したＳ３０３〜Ｓ３１１によれば、ファンの動作モードがオフの状態において、カメラの内部温度が第１閾値以上に上昇した時点で、ファンを回転させる／させないをユーザが選択できる。このように、カメラの内部温度が上昇してきた場合にも、ユーザの意図に応じて、ファンによる冷却を優先した動作か、ファンの動作の影響を受けずに撮影を継続するかを選択できる。よって、撮影モード中はファンの動作の影響を受けずに撮影を継続することができる。一方、撮影モード以外の、例えば再生モード中やファームアップ画面の表示中においては、ファンの動作の影響はないため、ファンの動作モードの設定にかかわらずデジタルビデオカメラの安定動作を優先してファンが常時回転するように制御される。
【００５６】
なお、システム制御部２０１は、ファンを回転させる場合には、カメラの内部温度やユーザ設定情報に基づき、ファンの回転速度を変化させるものとする（内部温度が高いほど高速に回転する）。
【００５７】
また、ファンの動作モードの設定（ファンＡＵＴＯモードまたはファンＯＮモードの設定、ファンの動作モードをオンまたはオフにする設定）は、操作部１０４に含まれるアサインボタン（複数の機能のうち任意の機能をユーザの登録操作に基づいて割り当てることができる操作部）に割り当てることができる。アサインボタンにファン動作の設定が登録された場合は、ファンの動作モードのオンとオフをトグル操作（アサインボタンの押下の度にオンとオフが切り替わる操作）によって切り替えられる。
【００５８】
また、ファンの回転周期が経年劣化などによって所定の回転周期を下回った場合、電源起動時にファンの回転周期を見て、ファンの回転数を一律所定割合（例えば１０％）増加させる機能を持たせても良い。このようにすることで、ファンが経年劣化しても安定してデジタルビデオカメラの内部を冷却することができる。
【００５９】
また、図３の処理において、Ｓ３０６とＳ３０７の間に、動画撮影中であるか否かを判定するステップを設けても良い。すなわち、動画撮影中であると判定された場合はＳ３０６に進み、動画撮影中でない場合（撮影待機中など）は図５（ｃ）に示すようなメッセージ５２１を表示し、ファンを駆動し、Ｓ３１５へ進む。この場合、動画撮影中にはファンの動作によって記録される動画に対して影響が出てしまうおそれがあるが、動画撮影中でなければファンの動作の影響は受けない。そのため、カメラの内部温度が第１閾値以上となってもユーザ操作によりファンをオンさせないケースを撮影モード中であっても動画撮影中のみとすることで、よりデジタルビデオカメラを安定的に動作させることができる。プレレック中（数秒程度の映像を絶えず内蔵バッファに記録し、撮影ボタン１０２を押した瞬間の所定秒数前から動画を記録媒体１０９に記録するという機能）でのバッファへの記録中も動画撮影中であると判定するようにしても良い。また、セルフタイマー撮影でのタイマー計時中も、動画撮影中と同様にカメラの内部温度が第１閾値以上となってもユーザ操作によりファンを動作させないようにしても良い。
【００６０】
なお、システム制御部２０１の制御は１つのハードウェアが行ってもよいし、複数のハードウェアが処理を分担することで、装置全体の制御を行ってもよい。
【００６１】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６２】
また、上述した実施形態においては、本発明をデジタルビデオカメラに適用した場合を例にして説明したが、これはこの例に限定されず、装置の内部を冷却するためのファンを有する機器であれば適用可能である。
【００６３】
［他の実施形態］本発明は、以下の処理を実行することによっても実現される。即ち、上記実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2014042168.tif 000003
【図２】
2014042168.tif 000004
【図３】
2014042168.tif 000005
【図４】
2014042168.tif 000006
【図５】
2014042168.tif 000007